(57)【特許請求の範囲】
【請求項１】
発信元データを表示する機能を備えた通信端末装置であって、
着信を受けてから着信が切断されるまでの時間をカウントするタイマ手段、
着信を受けたときに発信元データを記憶するメモリ手段、
電話番号を相手先に通知するか否かを設定する通知／非通知設定手段、および
前記通知／非通知設定手段の設定に従って電話番号を相手先に通知または非通知にし、前記メモリ手段に記憶された発信元の電話番号に発信する再ダイヤル発信手段を備え、
前記再ダイヤル発信手段は、前記タイマ手段が予め定められた時間をカウントする前に着信が切断された場合は、前記着信における発信元の電話番号に発信するときに、前記通知／非通知設定手段の設定に関係なく電話番号を非通知にして発信し、前記タイマ手段が予め定められた時間より多くカウントしても切断されなかった場合は、前記着信における発信元の電話番号に発信するときに、前記通知／非通知設定手段の設定に従って電話番号を通知または非通知にして発信することを特徴とする通信端末装置。
【発明の詳細な説明】
【０００１】
【発明の属する技術分野】
この発明は通信端末装置に関し、特に、発信元データを表示する機能を備えた通信端末装置に関する。
【０００２】
【従来の技術】
近年、携帯電話機に着信があった後すぐに切られてしまう“ワン切り”による被害が多く発生している。携帯電話機の着信履歴に表示される“ワン切り”の相手先（発信元）に再ダイヤル発信して通話をした場合、相手先（発信元）に電話番号が通知されると、発信者に対して高額な料金が請求されるなど電話番号が悪用されることがある。
【０００３】
従来の通信端末装置では、電話番号を相手先に通知するか否かを装置単位または発呼単位で設定するものがある。この場合、不審な相手先に発信するときに、予め電話番号を非通知設定にしてから発信すると、相手先に電話番号を知られなくてすむ。
【０００４】
また、相手先電話番号入力が短縮ダイヤルからの入力かどうかを主制御回路が判断し、短縮ダイヤルからの入力と判断した場合のみ電話番号通知を許可するものもある。この場合、短縮ダイヤルに登録した信用のできる接続相手にのみ電話番号通知を行なうことができる（たとえば、特許文献１参照）。
【０００５】
【特許文献１】
特開２０００−５９４９０号公報
【０００６】
【発明が解決しようとする課題】
以上のように、従来の通信端末装置では、“ワン切り”業者などの不審な相手先に発信する場合、装置単位で電話番号を非通知設定にする、若しくは装置単位では電話番号を通知設定にしておいて発呼単位で非通知設定にすることで、電話番号を相手先に知られなくてすんだ。しかし、装置単位で電話番号を非通知設定にすると、電話番号通知を利用したサービスが提供されない。また、発呼単位で電話番号を非通知設定にする場合は、発信を行なう度に電話番号通知をすべきかどうかを判断して設定する必要があるため利便性が低かった。さらに、“ワン切り”の発信元の電話番号が他の着信と同様に着信履歴に記憶されるため気になってしまうという問題があった。
【０００７】
それゆえに、この発明の主たる目的は、利便性の高い通信端末装置を提供することである。
【０００８】
【課題を解決するための手段】
この発明に係る通信端末装置は、発信元データを表示する機能を備えた通信端末装置であって、着信を受けてから着信が切断されるまでの時間をカウントするタイマ手段と、
着信を受けたときに発信元データを記憶するメモリ手段と、電話番号を相手先に通知するか否かを設定する通知／非通知設定手段と、通知／非通知設定手段の設定に従って電話番号を相手先に通知または非通知にし、メモリ手段に記憶された発信元の電話番号に発信する再ダイヤル発信手段を備える。再ダイヤル発信手段は、タイマ手段が予め定められた時間をカウントする前に着信が切断された場合は、着信における発信元の電話番号に発信するときに、通知／非通知設定手段の設定に関係なく電話番号を非通知にして発信し、タイマ手段が予め定められた時間より多くカウントしても切断されなかった場合は、着信における発信元の電話番号に発信するときに、通知／非通知設定手段の設定に従って電話番号を通知または非通知にして発信する。
【０００９】
【００１０】
【発明の実施の形態】
（実施の形態１）
図１は、この発明の実施の形態１による通信端末装置の概略構成を示すブロック図である。図１において、この通信端末装置は、タイマ部１と、メモリ部２と、表示部３と、再ダイヤル発信部４と、アンテナ５と、通知／非通知設定部６と、制御部７とを備える。
【００１１】
タイマ部１は、着信を受けてから着信が切断されるまでの時間をカウントする。メモリ部２は、着信を受けたときに発信元データ（電話番号など）を記憶する。表示部３は、メモリ部２に記憶された発信元データを表示する。再ダイヤル発信部４は、メモリ部２に記憶された発信元の電話番号にアンテナ５を介して発信する。通知／非通知設定部６は、電話番号を相手先に通知するか否かを設定する。
【００１２】
制御部７は、タイマ部１と、メモリ部２と、表示部３と、再ダイヤル発信部４と、通知／非通知設定部６とを制御する。タイマ部１が設定された時間より多くカウントしても着信が切断されなかった場合は、再ダイヤル発信部４がその発信元の電話番号に発信するときに、制御部７は通知／非通知設定部６の設定に従って電話番号を相手先に通知または非通知にする。一方、タイマ部１が設定された時間をカウントする前に着信が切断された場合は、再ダイヤル発信部４がその発信元の電話番号に発信するときに、制御部７は通知／非通知設定部６の設定に関係なく電話番号を非通知にする。
【００１３】
図２は、図１に示した通信端末装置の動作を示すフローチャートである。ステップＳ１において着信を受けると、ステップＳ２に進み、制御部７はタイマ部１を起動させるとともにメモリ部２に発信元データを記憶させる。次に、ステップＳ３において、制御部７はメモリ部２に記憶された発信元データを表示部３に表示させ、ステップＳ４に進む。ステップＳ４において、タイマ部１のカウントが設定された時間Ｔ秒を経過しても着信が切断されなかった場合は、再ダイヤル発信部４がその発信元の電話番号に発信するときに、制御部７は通知／非通知設定部６の設定に従う。一方、ステップＳ４において、タイマ部１が設定された時間Ｔ秒をカウントする前に着信が切断された場合は、ステップＳ５に進み、再ダイヤル発信部４がその発信元の電話番号に発信するときに、制御部７は通知／非通知設定部６の設定に関係なく電話番号を非通知にする。
【００１４】
この実施の形態１では、“ワン切り”業者などの不審な相手から着信があった後すぐに切られてしまった場合は、その発信元の電話番号に再ダイヤル発信するときに電話番号を非通知にして発信するので、相手先に電話番号を知られなくてすむ。したがって、“ワン切り”業者などの不審な相手から高額な料金が請求されるなどの被害を防ぐことができる利便性の高い通信端末装置が実現できる。
【００１５】
（実施の形態２）
図３は、この発明の実施の形態２による通信端末装置の概略構成を示すブロック図である。図３を参照して、図１に示した通信端末装置と異なる点は、通知／非通知設定部６が削除され、制御部８にデータ削除制御部９が追加されている点である。
【００１６】
データ削除制御部９は、タイマ部１が設定された時間より多くカウントしても着信が切断されなかった場合は、メモリ部２に記憶された発信元データを保持し、タイマ部１が設定された時間をカウントする前に着信が切断された場合は、メモリ部２に記憶された発信元データを削除する。メモリ部３の発信元データが削除されると、表示部３に表示されていた発信元データは消える。
【００１７】
図４は、図３に示した通信端末装置の動作を示すフローチャートである。ステップＳ１１において着信を受けると、ステップＳ１２に進み、制御部８はタイマ部１を起動させるとともにメモリ部２に発信元データを記憶させる。次に、ステップＳ１３において、制御部８はメモリ部２に記憶された発信元データを表示部３に表示させ、ステップＳ１４に進む。ステップＳ１４において、タイマ部１のカウントが設定された時間Ｔ秒を経過しても着信が切断されなかった場合は、データ削除制御部９はメモリ部２に記憶された発信元データを保持する。一方、ステップＳ１４において、タイマ部１が設定された時間Ｔ秒をカウントする前に着信が切断された場合は、ステップＳ１５に進み、データ削除制御部９はメモリ部２に記憶された発信元データを削除する。
【００１８】
したがって、この実施の形態２では、“ワン切り”業者などの不審な相手から着信があった後すぐに切られてしまった場合は、その発信元データを削除するので発信元の電話番号が着信履歴に残らず、再ダイヤル発信することもない。したがって、“ワン切り”業者などの不審な相手から高額な料金が請求されるなどの被害を防ぐことができる利便性の高い通信端末装置が実現できる。また、“ワン切り”の発信元の電話番号は、着信履歴に残らないため気にならなくてすむ。
【００１９】
なお、この発明は携帯電話機だけでなく、電話番号表示機能を持った固定電話機（アナログ、ＩＳＤＮなど）にも適用される。
【００２０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２１】
【発明の効果】
以上のように、この発明に係る通信端末装置は、発信元データを表示する機能を備えた通信端末装置であって、着信を受けてから着信が切断されるまでの時間をカウントするタイマ手段と、着信を受けたときに発信元データを記憶するメモリ手段と、電話番号を相手先に通知するか否かを設定する通知／非通知設定手段と、通知／非通知設定手段の設定に従って電話番号を相手先に通知または非通知にしてメモリ手段に記憶された発信元の電話番号に発信する再ダイヤル発信手段とを備える。再ダイヤル発信手段は、タイマ手段が予め定められた時間をカウントする前に着信が切断された場合は、着信における発信元の電話番号に発信するときに、通知／非通知設定手段の設定に関係なく電話番号を非通知にして発信する。したがって、“ワン切り”業者などの不審な相手から着信があった後すぐに切られてしまった場合は、その発信元の電話番号に再ダイヤル発信するときに、電話番号を非通知にして発信することによって、相手から高額な料金が請求されるなどの被害を防ぐことができる利便性の高い通信端末装置が実現できる。
【００２２】
【図面の簡単な説明】
【図１】この発明の実施の形態１による通信端末装置の概略構成を示すブロック図である。
【図２】図１に示した通信端末装置の動作を示すフローチャートである。
【図３】この発明の実施の形態２による通信端末装置の概略構成を示すブロック図である。
【図４】図３に示した通信端末装置の動作を示すフローチャートである。
【符号の説明】
１  タイマ部、２  メモリ部、３  表示部、４  再ダイヤル発信部、５  アンテナ、６  通知／非通知設定部、７，８  制御部、９  データ削除制御部。
【図１】
0004146217.tif 000002
【図２】
0004146217.tif 000003
【図３】
0004146217.tif 000004
【図４】
0004146217.tif 000005